(57)【要約】【課題】のめり込み現象に遭遇した遊技者を救済でき、適正な遊技ルールの下での遊技を保証できるようにした遊技者救済方法および遊技者救済システムを提案すること。【解決手段】遊技管理システム１では、各遊技店２の台間機９において、遊技者が当日内連続した一連の遊技を行い、その消費金額が所定金額以上消費した場合には遊技台８にのめり込み現象が発生したとみなす。のめり込み現象とみなした場合、当該遊技台８の動作が強制終了し、台間機９において、当該遊技者の会員カード１２ａのプリペイド額を所定金額分だけ加算して、会員カード１２ａを遊技者に返却する。または、所定額の現金の支払い、所定額の金券の発行または所定額の商品券の発行或いは所定額のプリペイドカードを発行する。一方、偶発的に発生するのめり込み現象に起因する遊技者２２の損害を保険会社２１と保険契約するカード管理会社４を介して損害保険金が遊技店２に支払われる。【選択図】図２
2009039459.tif 000002
【特許請求の範囲】
【請求項１】
同一の遊技台において同一の遊技者による当日内の遊技消費金額が所定金額を超過したか否かを監視し、
前記遊技消費金額が所定金額を超過したことが検出された場合には、前記遊技台が所定の確率で通常遊技状態から遊技者に有利な特定遊技状態に一時的に変化する特定遊技状態に変化しないのめり込み現象が発生したものとみなし、
前記遊技者に対して、予め定めたのめり込み現象に対する救済措置を講ずることを特徴とする遊技者救済方法。
【請求項２】
所定の確率で通常遊技状態から遊技者に有利な特定遊技状態に一時的に変化する遊技台が特定遊技状態に変化したか否かを監視し、
同一遊技台において同一の遊技者による連続した一連の遊技における遊技消費金額を監視し、
前記遊技者による前記遊技消費金額が予め定めた金額を超えても前記遊技台が前記通常遊技状態から前記特定遊技状態に変化しないのめり込み現象が検出された場合には、当該遊技者に対して、予め定めたのめり込み現象に対する救済措置を講ずることを特徴とする遊技者救済方法。
【請求項３】
請求項１または２に記載の遊技者救済方法において、
遊技者に予め遊技者識別情報が担持されたプリペイド式の遊技用会員カードを発行し、
当該遊技用会員カードを用いた前記遊技台での前記のめり込み現象に対して前記救済措置を講ずることを特徴とする遊技者救済方法。
【請求項４】
請求項１または２に記載の遊技者救済方法において、
現金を用いた前記遊技台での前記のめり込み現象に対して前記救済措置を講ずることを特徴とする遊技者救済方法。
【請求項５】
請求項１または２に記載の遊技者救済方法において、
遊技者にプリペイド式の遊技用ビジターカードを発行し、
当該遊技用ビジターカードを用いた前記遊技台での前記のめり込み現象に対して前記救済措置を講ずることを特徴とする遊技者救済方法。
【請求項６】
請求項１または２に記載の遊技者救済方法において、
前記のめり込み現象に対する救済措置は、前記のめり込み現象に遭遇した前記遊技者に対する所定額の現金の支払い、所定額の金券の発行、所定額の商品券の発行、および、所定額のプリペイドカードの発行のうちの少なくとも一つであることを特徴とする遊技者救済方法。
【請求項７】
請求項６に記載の遊技者救済方法において、
前記救済措置としての前記金券、商品券、プリペイドカードを発行するための発行機を配置し、
当該発行機から、前記のめり込み現象に遭遇した遊技者に対して、前記金券、商品券、プリペイドカードを発行することを特徴とする遊技者救済方法。
【請求項８】
請求項１または２に記載の遊技者救済方法において、
前記のめり込み現象が検出された場合には、前記遊技台における前記遊技者による遊技を禁止することを特徴とする遊技者救済方法。
【請求項９】
請求項１または２に記載の遊技者救済方法において、
前記のめり込み現象が検出された場合には、前記遊技台における遊技を一時的に禁止することを特徴とする遊技者救済方法。
【請求項１０】
請求項１、２、３、４、５、８または９に記載の遊技者救済方法において、
前記遊技者に予め遊技者識別情報が担持されたプリペイド式の遊技用カードを発行し、
前記遊技用カードを用いて前記遊技台での遊技に必要な遊技媒体の貸し出し処理を行う台間機を配置し、
前記遊技用カードを用いて前記遊技台において遊技を行わせ、
前記遊技台において前記のめり込み現象が検出された場合には、前記救済措置として、前記遊技者の前記遊技用カードのプリペイド額に予め定めた額を加算する処理を実行することを特徴とする遊技者救済方法。
【請求項１１】
請求項１０に記載の遊技者救済方法において、
前記のめり込み現象が検出された場合には、前記遊技台および／または前記台間機によってその旨を前記遊技者に知らせ、
前記遊技台での遊技を強制終了させ、
前記遊技台または前記台間機から、前記加算処理後の前記遊技用カードを前記遊技者に返却することを特徴とする遊技者救済方法。
【請求項１２】
請求項１１に記載の遊技者救済方法において、
前記遊技台および前記台間機を管理するための遊技店管理サーバを配置し、
当該遊技店管理サーバにより前記遊技台に前記のめり込み現象が発生したか否かを監視し、
当該遊技店管理サーバからの指示に基づき、前記遊技台での遊技の強制終了を行うことを特徴とする遊技者救済方法。
【請求項１３】
請求項１２に記載の遊技者救済方法において、
前記遊技用カードを管理するカード管理サーバを配置し、
前記遊技店管理サーバを介して、前記のめり込み現象が発生した前記遊技台を識別するための遊技台識別情報、および、前記遊技者を識別するための遊技者識別情報を、前記カード管理サーバに送信し、
当該カード管理サーバにおいて、前記のめり込み現象が検出された前記遊技台および前記遊技者についての情報を記憶保持することを特徴とする遊技者救済方法。
【請求項１４】
請求項１または２に記載の遊技者救済方法により遊技者を救済する遊技者救済システムであって、
前記のめり込み現象に対する救済手段を講ずるための所定額の費用を補填するのめり込み救済保険制度を運用する保険会社と、
前記のめり込み現象に遭遇した遊技者に対して前記救済手段を講ずる遊技店と、
前記遊技店の遊技管理システムなどを管理するシステム会社とを有し、
前記システム会社は、前記のめり込み救済保険制度に加入し、当該のめり込み救済保険
の加入料の支払いを行い、
前記遊技店は、前記のめり込み現象に遭遇した遊技者に対して前記救済措置を講じ、
前記システム会社は、前記のめり込み現象が発生すると、前記保険会社にのめり込み救済保険の保険金の支払いを請求し、前記遊技店に対しては、当該遊技店が講じた前記救済措置に対して所定額の補填を与えることを特徴とする遊技者救済システム。
【請求項１５】
請求項１４に記載の遊技者救済システムにおいて、
前記システム会社は、前記遊技店における前記遊技台で遊技するための遊技用カードの発行管理および当該遊技用カードの利用状況の管理を行うカード管理会社であることを特徴とする遊技者救済システム。
【請求項１６】
請求項１５に記載の遊技者救済システムにおいて、
前記のめり込み現象に対する救済措置は、前記のめり込み現象に遭遇した前記遊技者に対する所定額の現金の支払い、所定額の金券の発行、所定額の商品券の発行、および、所定額のプリペイドカードの発行のうちの少なくとも一つであることを特徴とする遊技者救済システム。
【請求項１７】
請求項１６に記載の遊技者救済システムにおいて、
所定の場所に配置した交換所を有し、
当該交換所において、前記遊技店により発行された前記救済措置として発行された金券、商品券あるいはプリペイドカードを現金化する処理を行うことを特徴とする遊技者救済システム。
【請求項１８】
請求項１または２に記載の遊技者救済管理方法により遊技者を救済する遊技者救済システムであって、
前記のめり込み現象に対する救済措置を講ずるための所定額の費用を補填するのめり込み救済保険制度を運用する保険会社と、
前記のめり込み現象に遭遇した遊技者に対して前記救済措置を講ずる遊技店とを有し、
前記遊技店は、前記のめり込み救済保険制度に加入して当該のめり込み救済保険の加入料を支払い、前記のめり込み現象が発生すると、前記のめり込み現象に遭遇した遊技者に対して前記救済措置を講ずると共に、前記保険会社にのめり込み救済保険の保険金の支払いを請求することを特徴とする遊技者救済システム。
【請求項１９】
請求項１８に記載の遊技者救済システムにおいて、
前記のめり込み現象に対する救済措置は、前記のめり込み現象に遭遇した前記遊技者に
対する所定額の現金の支払い、所定額の金券の発行、所定額の商品券の発行、および、所
定額のプリペイドカードの発行のうちの少なくとも一つであることを特徴とする遊技者救
済システム。
【請求項２０】
請求項１９に記載の遊技者救済システムにおいて、
所定の場所に配置した交換所を有し、
当該交換所において、前記遊技店から前記救済措置として発行された金券、商品券あるいはプリペイドカードを現金化する処理を行うことを特徴とする遊技者救済システム。
【請求項２１】
請求項１または２に記載の遊技者救済管理方法により遊技者を救済する遊技者救済システムであって、
前記のめり込み現象に対する救済措置を講ずるための所定額の費用を補填するのめり込み救済保険制度を運用する保険会社と、
前記のめり込み現象に遭遇した遊技者に対して前記救済手段を講ずる遊技店と、
前記遊技者を救済することを目的として設立された遊技者救済団体とを有し、
前記遊技者救済団体は、前記のめり込み救済保険制度に加入し、当該のめり込み救済保険の加入料の支払いを行い、
前記遊技店は、前記のめり込み現象に遭遇した遊技者に対して前記救済措置を講じ、
前記遊技者救済団体は、前記のめり込み現象が発生すると、前記保険会社にのめり込み救済保険の保険金の支払いを請求し、前記遊技店に対しては、当該遊技店が講じた前記救
済措置に対して所定額の補填を与えることを特徴とする遊技者救済システム。
【請求項２２】
請求項１または２に記載の遊技者救済管理方法により遊技者を救済する遊技者救済システムであって、
前記のめり込み現象に対する救済措置を講ずるための所定額の費用を補填するのめり込み救済保険制度を運用する保険会社と、
前記のめり込み現象に遭遇した遊技者に対して前記救済手段を講ずる遊技店と、
前記遊技店の遊技管理システムなどを管理するシステム会社と、
前記遊技者を救済することを目的として設立された遊技者救済団体とを有し、
前記遊技者救済団体は、前記システム会社にのめり込み救済保険の運用のための運用料を支払い、
前記システム会社は、前記のめり込み救済保険制度に加入し、当該のめり込み救済保険の加入料の支払いを行い、
前記遊技店は、前記のめり込み現象に遭遇した遊技者に対して前記救済措置を講じ、
前記システム会社は、前記のめり込み現象が発生すると、前記保険会社にのめり込み救済保険の保険金の支払いを請求し、前記遊技店に対しては、当該遊技店が講じた前記救済措置に対して所定額の補填を与えることを特徴とする遊技者救済システム。
【請求項２３】
請求項２２に記載の遊技者救済システムにおいて、
前記システム会社は、前記遊技店における前記遊技台で遊技するための遊技用カードの
発行管理および当該遊技用カードの利用状況の管理を行うカード管理会社であることを特
徴とする遊技者救済システム。
【請求項２４】
請求項２１または２２に記載の遊技者救済システムにおいて、
前記遊技者救済団体は、前記遊技店に設立された前記遊技台および／または前記台間機の製造業者であることを特徴とする遊技者救済システム。
【請求項２５】
請求項２１または２２に記載の遊技者救済システムにおいて、
前記遊技者救済団体は、前記のめり込み救済保険制度に協賛する者たちで構成されていることを特徴とする遊技者救済システム。
【請求項２６】
請求項２１または２２に記載の遊技者救済システムにおいて、
前記のめり込み現象に対する救済措置は、前記のめり込み現象に遭遇した前記遊技者に対する所定額の現金の支払い、所定額の金券の発行、所定額の商品券の発行、および、所定額のプリペイドカードの発行のうちのいずれか一つ、あるいは複数であることを特徴とする遊技者救済システム。
【請求項２７】
請求項２４に記載の遊技者救済システムにおいて、
所定の場所に配置した交換所を有し、
当該交換所において、前記遊技店から前記救済措置として発行された金券、商品券あるいはプリペイドカードを現金化する処理を行うことを特徴とする遊技者救済システム。
【請求項２８】
請求項１または２に記載の遊技者救済方法により遊技者を救済する遊技者救済システムであって、
前記のめり込み現象に対する救済措置を講ずるための所定額の費用を補填するのめり込み救済保険制度を運用する保険会社と、
前記のめり込み現象に遭遇した遊技者に対して前記救済措置を講ずる遊技店と、
前記遊技店の遊技管理システムなどを管理するシステム会社と、
前記遊技者を救済することを目的として設立された遊技者救済団体とを有し、
前記保険会社は、前記遊技店、前記システム会社、および前記遊技者救済団体のうちの少なくとも一社との間で前記のめり込み救済保険に対する加入契約を結び、加入契約を結んだ当該のめり込み救済保険の加入会社から保険加入料を徴収し、
当該加入会社から、前記のめり込み現象に遭遇した遊技者に対して前記救済措置を講じ
た旨の申請を受け付け、
当該申請を受け付けると、前記加入会社に対して所定の保険料の支払いを行うことを特
徴とする遊技者救済システム。
【請求項２９】
請求項２６に記載の遊技者救済システムにおいて、
前記システム会社は、前記遊技店における前記遊技台で遊技するための遊技用カードの発行管理および当該遊技用カードの利用状況の管理を行うカード管理会社であることを特
徴とする遊技者救済システム。
【請求項３０】
請求項２６に記載の遊技者救済システムにおいて、
前記遊技者救済団体は、前記遊技店に設立された前記遊技台および／または前記台間機の製造業者であることを特徴とする遊技者救済システム。
【請求項３１】
請求項２６に記載の遊技者救済システムにおいて、
前記遊技者救済団体は、前記のめり込み救済保険制度に協賛する者たちで構成されていることを特徴とする遊技者救済システム。
【請求項３２】
請求項２６に記載の遊技者救済システムにおいて、
前記遊技者救済団体は、前記のめり込み救済保険制度に協賛する者たちで構成されていることを特徴とする遊技者救済システム。
【発明の詳細な説明】
【技術分野】
【０００１】
本発明は、パチンコ遊技台、コイン遊技台、スロットマシンなどの遊技台で遊技する遊技者の救済方法および救済システムに関する。さらに詳しくは、通常遊技状態から遊技者に有利な特定遊技状態へ変化しない状態が長期間継続し、これによって遊技者が遊技代金を過剰に消費してしまった場合に、その救済を事後的に行うことのできる遊技者救済方法および遊技者救済システムに関する。
【背景技術】
【０００２】
パチンコ遊技台、コイン遊技台、スロットマシンなどの遊技台には、表示図柄などがサイクリックに切り替わる液晶表示器、リールなどの可変表示部が配置されている。遊技中に表示図柄が特定の配列状態に揃う等の特定条件が満たされると、遊技台は通常遊技状態から遊技者に有利な特定遊技状態（大当たり状態）に一時的に変化するように構成されている。例えば、パチンコ遊技台では、通常遊技状態から特定遊技状態に切り替わると、遊技盤面に配置されている可変式の入賞口が開き、入賞口に入る打玉の確率が高くなり、多量の景品玉を獲得可能な状態になる。このように状態が変化する遊技台は、例えば、特許文献１〜３に開示されている。
【特許文献１】特開２００４−１５４３０７号公報
【特許文献２】特開２００５−３０４７２６号公報
【特許文献３】特開２００６−２１２０７１号公報
【発明の開示】
【発明が解決しようとする課題】
【０００３】
ここで、遊技台の性能特性として、予め定められた基準値の範囲で設計された確率で特定遊技状態（大当たり）が発生し、それに応じた回数（連チャン）と出玉が発生する。また、特定遊技状態の発生回数はそのピークが過ぎると、所定の終息カーブをたどって減少し、一定の終息値を迎えると、今度は所定の上昇カーブをたどって増加し、再びピークを迎えることとなる。このような発生確率の日々の繰り返しをプロットすると、周期的な波線を描く。図１には、大当たりの発生確率の度合いを、「０」を標準としてプロットした例を示すグラフである。
【０００４】
ここで、発生確率は、予め定められた基準値の範囲、例えば図１においては、＋６から−６の範囲内で変化するように設計されている。しかしながら、発生確率が同一の範囲内となるように設計されている遊技台において、発生確率が最も低くなる終息時に、稀なケースではあるが、発生確率が設計範囲を下回る状態になり、いつまでたっても大当たりが発生せず、遊技者に遊技代金を過剰に消費させてしまうことがある。この現象は、「のめり込み現象」と呼ばれ、特に遊技者の間などにおいては「ハマリ現象」とも呼ばれている。例えば図１のグラフにおける４日目および１０日目のような波の状態がこれに該当する。のめり込み現象に遭遇すると、遊技者に必要以上の遊技代金を消費させてしまう場合がある。
【０００５】
このようなのめり込み現象の発生原因は明らかになっておらず、遊技状態を制御管理するソフトウエアによって事前に発生確率の範囲を設定してあるにもかかわらず、偶発的に発生する。遊技台がのめり込み状態に陥ると、遊技者にいたずらに遊技代金を消費させることになり、遊技者にとっても、また、健全な遊技を提供する必要のある遊技店側にとっても好ましくない。
【０００６】
本発明の課題は、このような点に鑑みて、のめり込み現象に遭遇した遊技者を救済でき、適正な遊技ルールの下での遊技を保証できるようにした遊技者救済方法および遊技者救済システムを提案することにある。
【課題を解決するための手段】
【０００７】
上記の課題を解決するために、本発明の遊技者救済方法は、
同一の遊技台において同一の遊技者による当日内の遊技消費金額が所定金額を超過したか否かを監視し、
前記遊技消費金額が所定金額を超過したことが検出された場合には、前記遊技台が所定の確率で通常遊技状態から遊技者に有利な特定遊技状態に一時的に変化する特定遊技状態に変化しないのめり込み現象が発生したものとみなし、
前記遊技者に対して、予め定めたのめり込み現象に対する救済措置を講ずることを特徴としている。
【０００８】
また、本発明の遊技者救済方法は、
所定の確率で通常遊技状態から遊技者に有利な特定遊技状態に一時的に変化する遊技台が特定遊技状態に変化したか否かを監視し、
同一遊技台において同一の遊技者による連続した一連の遊技における遊技消費金額を監視し、
前記遊技者による前記遊技消費金額が予め定めた金額を超えても前記遊技台が前記通常遊技状態から前記特定遊技状態に変化しないのめり込み現象が検出された場合には、当該遊技者に対して、予め定めたのめり込み現象に対する救済措置を講ずることを特徴としている。
【０００９】
ここで、当日内とは、遊技者が連続して遊技した１日（２４時間）以内のことを示しているが、遊技がその日の当日と翌日との連続した一連の時間的継続状態の場合、例えば、遊技者がその日（８月１０日）午後１１時３０分から翌日（８月１１日）午前１２時３０分に亘って遊技した場合には、一連の継続した時間とみなし、当日内の概念に含まれるものとする。
【００１０】
また、救済対象の遊技者は、会員カード使用者、現金使用者あるいはビジターカード使用者のいずれであってもよい。
【００１１】
会員カード使用者の場合には、遊技者に予め遊技者識別情報が担持されたプリペイド式の遊技用会員カードが発行されているので、当該遊技用会員カードを用いた前記遊技台での前記のめり込み現象に対して前記救済措置を講ずればよい。また、ビジターカード使用者の場合には、遊技者にプリペイド式の遊技用カード（ビジターカード）が発行されるので、当該遊技用カードを用いた前記遊技台での前記のめり込み現象に対して前記救済措置を講ずればよい。
【００１２】
次に、前記のめり込み現象に対する救済措置としては、前記のめり込み現象に遭遇した前記遊技者に対する所定額の現金の支払い、所定額の金券の発行、所定額の商品券の発行、および、所定額のプリペイドカードの発行のうちのいずれか一つ、あるいは、これらの組み合わせとすることができる。
【００１３】
また、前記救済措置としての前記金券、商品券、プリペイドカードを発行するための発行機を配置し、当該発行機から、前記のめり込み現象に遭遇した遊技者に対して、前記金券、商品券、プリペイドカードを発行することができる。
【００１４】
ここで、前記のめり込み現象が検出された場合には、前記遊技台における前記遊技者による遊技を禁止することが望ましい。
【００１５】
一般に、遊技店では磁気カード、ＩＣカードなどを用いたカードシステムが採用されており、前記遊技者に予め遊技者識別情報が担持されたプリペイド式の遊技用カードが発行され、前記遊技用カードを用いて前記遊技台での遊技に必要な遊技媒体の貸し出し処理を行う台間機が配置されている。この場合には、前記遊技台において前記のめり込み現象が検出された場合には、前記プリペイドカードの発行に代えて、前記遊技者の前記遊技用カードのプリペイド額に予め定めた額を加算する処理を実行すればよい。なお、上述の台間機の機能が遊技台自体に備わっていてもよい。
【００１６】
また、前記のめり込み現象が検出された場合には、前記遊技台および／または前記台間機によってその旨を前記遊技者に知らせ、前記遊技台での遊技を強制終了させ、前記遊技台または前記台間機から、前記加算処理後の前記遊技用カードを前記遊技者に返却すればよい。
【００１７】
さらに、前記遊技台および前記台間機を管理するための遊技店管理サーバにおいて、前記遊技台に前記のめり込み現象が発生したか否かを監視し、当該遊技店管理サーバからの指示に基づき、前記遊技台での遊技の強制終了を行うようにすればよい。なお、遊技店管理サーバには、遊技用カードの管理用のサーバと遊技の実状態を管理するサーバが含まれる。
【００１８】
さらには、前記遊技用カードを管理するカード管理サーバに対して、前記遊技店管理サーバを介して、前記のめり込み現象が発生した前記遊技台を識別するための遊技台識別情報、および、前記遊技者を識別するための遊技者識別情報を送信し、当該カード管理サーバにおいて、前記のめり込み現象が検出された前記遊技台および前記遊技者についての情報を管理することが望ましい。
【００１９】
一方、本発明は上記の遊技者救済方法によりのめり込み現象に陥った遊技者の救済を行う遊技者救済システムであって、
前記のめり込み現象に対する救済手段を講ずるための所定額の費用を補填するのめり込み救済保険制度を運用する保険会社と、
前記のめり込み現象に遭遇した遊技者に対して前記救済手段を講ずる遊技店と、
前記遊技店の遊技管理システムなどを管理するシステム会社とを有し、
前記システム会社は、前記のめり込み救済保険制度に加入し、当該のめり込み救済保険の加入料の支払いを行い、
前記遊技店は、前記のめり込み現象に遭遇した遊技者に対して前記救済措置を講じ、
前記システム会社は、前記のめり込み現象が発生すると、前記保険会社にのめり込み救済保険の保険金の支払いを請求し、前記遊技店に対しては、当該遊技店が講じた前記救済措置に対して所定額の補填を与えることを特徴としている。
【００２０】
ここで、一般的には、前記システム会社は、前記遊技店における前記遊技台で遊技するための遊技用カードの発行管理および当該遊技用カードの利用状況の管理を行うカード管理会社である。
【００２１】
また、前記遊技店管理サーバ現象に対する救済措置として、前記のめり込み現象に遭遇した前記遊技者に対する所定額の現金の支払い、所定額の金券の発行、所定額の商品券の発行、および、所定額のプリペイドカードの発行のうちのいずれか一つ、あるいは、これらの組み合わせとすることができる。
【００２２】
また、所定の場所に交換所を配置しておき、ここにおいて、前記遊技店により発行された前記救済措置として発行された金券、商品券あるいはプリペイドカードを現金化する処理を行うようにしてもよい。
【００２３】
次に、各遊技店が直接に保険加入者となることも可能である。この場合の遊技者救済システムは、前記のめり込み現象に対する救済措置を講ずるための所定額の費用を補填するのめり込み救済保険制度を運用する保険会社と、前記のめり込み現象に遭遇した遊技者に対して前記救済措置を講ずる遊技店とを有し、前記遊技店は、前記のめり込み救済保険制度に加入して当該のめり込み救済保険の加入料を支払い、前記のめり込み現象が発生すると、前記のめり込み現象に遭遇した遊技者に対して前記救済措置を講ずると共に、前記保険会社にのめり込み救済保険の保険金の支払いを請求する。
【００２４】
また、遊技者を救済することを目的とした遊技者救済団体を設立し、この遊技者救済団体が保険加入者となってもよい。この場合の遊技者救済システムは、前記のめり込み現象に対する救済措置を講ずるための所定額の費用を補填するのめり込み救済保険制度を運用する保険会社と、前記のめり込み現象に遭遇した遊技者に対して前記救済手段を講ずる遊技店と、前記遊技台の製造会社により設立された遊技者救済団体とを有し、前記遊技者救済団体は、前記のめり込み救済保険制度に加入し、当該のめり込み救済保険の加入料の支払いを行い、前記遊技店は、前記のめり込み現象に遭遇した遊技者に対して前記救済措置を講じ、前記遊技者救済団体は、前記のめり込み現象が発生すると、前記保険会社にのめり込み救済保険の保険金の支払いを請求し、前記遊技店に対しては、当該遊技店が講じた前記救済措置に対して所定額の補填を与える。
【００２５】
さらに、遊技者を救済することを目的とした遊技者救済団体を設立し、この遊技者救済団体が前記システム会社に前記のめり込み救済保険の運用のための運用料を支払い、このシステム会社が保険加入者となってもよい。この場合の遊技者救済システムは、前記のめり込み現象に対する救済措置を講ずるための所定額の費用を補填するのめり込み救済保険制度を運用する保険会社と、前記のめり込み現象に遭遇した遊技者に対して前記救済手段を講ずる遊技店と、前記遊技店の遊技管理システムなどを管理するシステム会社と、前記遊技台の遊技者を救済することを目的として設立された遊技者救済団体とを有し、この遊技者救済団体は、前記システム会社にのめり込み救済保険の運用のための運用料を支払い、前記システム会社は、前記のめり込み救済保険制度に加入し、当該のめり込み救済保険の加入料の支払いを行い、前記遊技店は、前記のめり込み現象に遭遇した遊技者に対して前記救済措置を講じ、前記システム会社は、前記のめり込み現象が発生すると、前記保険会社にのめり込み救済保険の保険金の支払いを請求し、前記遊技店に対しては、当該遊技店が講じた前記救済措置に対して所定額の補填を与える。
【００２６】
次に、本発明は上記の遊技者救済方法によりのめり込み現象に陥った遊技者の救済を行う遊技者救済システムであって、
前記のめり込み現象に対する救済措置を講ずるための所定額の費用を補填するのめり込み救済保険制度を運用する保険会社と、
前記のめり込み現象に遭遇した遊技者に対して前記救済措置を講ずる遊技店と、
前記遊技店の遊技管理システムなどを管理するシステム会社と、
前記遊技者を救済することを目的として設立された遊技者救済団体とを有し、
前記保険会社は、
前記遊技店、前記システム会社、および前記遊技者救済団体のうちの少なくとも一社との間で前記のめり込み救済保険に対する加入契約を結び、
加入契約を結んだ当該のめり込み救済保険の加入会社から保険加入料を徴収し、
当該加入会社から、前記のめり込み現象に遭遇した遊技者に対して前記救済措置を講じた旨の申請を受け付け、
当該申請を受け付けると、前記加入会社に対して所定の保険料の支払いを行うことを特徴としている。
【００２７】
ここで、遊技者救済団体は、遊技店に設置された遊技台および／または台間機の製造業者、あるいは、のめり込み救済保険制度に協賛する者たちのいずれであってもよい。
【発明の効果】
【００２８】
本発明の遊技者救済方法では、同一の遊技台において同一の遊技者が遊技で所定金額以上消費した場合には当該遊技台にのめり込み現象が発生したとみなしている。あるいは、遊技台にのめり込み現象が発生したか否かを当該遊技台を直接に監視することにより検出している。のめり込み現象が検出されると、所定額の現金の支払い、所定額の金券の発行、所定額の商品券の発行又は所定額の現金又は所定額のプリペイドカードの発行、又は、遊技用カードのプリペイド額を増額するという形態で、のめり込み現象に遭遇した遊技者に金銭的な救済を行うようにしている。かかる救済を行うことにより、偶発的に発生するのめり込み現象に遭遇した遊技者を保護でき、これによって、一定の範囲で大当たりの発生確率が変化するというルールの下での健全な遊技を遊技者に提供することを保証できる。
【００２９】
また、本発明の遊技者救済システムでは、のめり込み現象に遭遇した遊技者を保護するための救済システムとして、遊技用カードを発行し、当該カード利用の遊技店のシステム等を管理するシステム会社と、のめり込み現象による所定額の金券又は所定額の現金又は所定額のプリペイドカードの負担料金を補填する保険会社とが補填契約を締結し、システム会社が遊技店に補填負担金を支払い、さらに、遊技店がのめり込み現象に遭遇した遊技者に直接金銭的な救済を行うようにしている。かかる救済管理システムを行うことにより、偶発的に発生するのめり込み現象に遭遇した遊技者を保護でき、また、遊技店にも負担なく、これによって、一定の範囲で大当たりの発生確率が変化するというルールの下での健全な遊技を遊技者に提供することを保証できる。
【発明を実施するための最良の形態】
【００３０】
以下に、図面を参照して本発明を適用した遊技者救済方法および遊技者救済システムの実施の形態を説明する。
【００３１】
（遊技管理システム）
図２は、本発明の遊技者救済方法を採用している遊技管理システムの実施の形態を示す概略構成図である。遊技管理システム１は、各遊技店２に設置されている遊技店管理サーバ３と、カード管理会社４に設置されているカード管理サーバ５とを有しており、カード管理サーバ５と各遊技店２の遊技店管理サーバ３との間はインターネットなどの一般通信回線６で接続されている。
【００３２】
遊技店２には、複数の遊技島７が配置されており、各遊技島７は、パチンコ遊技台などの遊技台８と、当該遊技台８での遊技に必要な遊技媒体の貸し出しを行う台間機９とが交互に多数組配列された構成となっている。各遊技島７の台間機９は、島中継ハブ１０およびＬＡＮ１１を介して、遊技店管理サーバ３に接続されている。カード管理サーバ５は、各遊技店２で使用される遊技用カードを一括管理している。遊技用カードとしては、会員カード１２ａであってもよく、カード発行機１３から発行されるビジターカード１２ｂであってもよい。
【００３３】
遊技店２に設置されている遊技台８は例えばパチンコ遊技台であり、隣接配置されている台間機９はカードリーダライタ９ａを備えている。会員カード１２ａは例えばＩＣカードからなり、会員カード１２ａには遊技者識別情報および遊技用のプリペイド金額情報が記憶保持されている。ビジターカード１２ｂはプリペイドカードであり、遊技可能なプリペイド金額情報が記憶保持されている。遊技用カードを台間機９に挿入することにより、内蔵のカードリーダライタ９ａによってカード情報が読み取られ、遊技店管理サーバ３に供給される。また、台間機９は、遊技店管理サーバ３は各遊技台８の遊技状態が通常遊技状態であるか、遊技者に有利な特定遊技状態（大当たり状態）であるのかを監視している。さらに、同一の遊技者による遊技が継続して行われている状態において、遊技台８が特定遊技状態に変化することなく通常遊技状態のまま継続し、その間に、遊技者による遊技消費金額が所定の金額、例えば５万円を超えた場合には、当該遊技台８にのめり込み現象が発生したとの検出を行う。
【００３４】
のめり込み現象の検出動作の代わりに、同一遊技台での同一遊技者による当日内の一連の継続した遊技の遊技消費金額が所定の金額を超過した場合に、当該遊技台にのめり込み現象が発生したものとみなすこともできる。
【００３５】
遊技店管理サーバ３は、供給された遊技者識別情報と、当該情報の供給元の台間機９に隣接配置されている遊技台８の識別情報とに基づき、各遊技台８で遊技している遊技者を識別する。また、台間機９からのめり込み現象が発生した旨の通知を受け取ると、当該台間機９にのめり込み対応指令を送る。台間機９は、こののめり込み対応指令を受け取ると、当該台間機９の表示部あるいは遊技台８の表示部を介して、遊技者に対して、当該遊技台８における遊技を強制終了する旨を表示し、遊技台８の使用をできないようにし、当該遊技台８自体もその使用を一時的にできないようにする。
【００３６】
さらに、台間機９に挿入されている遊技用カード（１２ａ、１２ｂ）のプリペイド金額を、一定額の増加分を加算した額を加算した額に更新し、当該遊技用カード１２ａ、１２ｂを遊技者に返却する。
【００３７】
かかる一連ののめり込み処理を行った後は、遊技店管理サーバ３からカード管理サーバ５に、のめり込み処理の日時、のめり込み現象が発生した遊技台識別情報、遊技者識別情報、プリペイド額を加算した旨の情報などを含む情報を送る。カード管理サーバ５は、これらの情報を一括管理する。ビジターカード１２ｂによる遊技の場合、現金を用いた遊技の場合には、上述の遊技者識別情報を作成し、カード管理サーバ５に送信してこれらの情報を一括管理するようにすればよい。
【００３８】
ここで、のめり込み現象が発生した遊技台８の遊技停止状態は一定期間経過後に解除すればよい。この場合において、のめり込み現象に遭遇した遊技者については、同一の遊技台８での遊技を禁止することが望ましい。
【００３９】
なお、台間機９においてのめり込み現象を監視する代わりに、遊技店管理サーバ３において各遊技台８ののめり込み現象の発生の有無を監視してもよい。
【００４０】
また、会員以外の一般遊技者、すなわち、遊技用カード１２ａを所有していない一般遊技者がのめり込み現象に遭遇した場合の救済措置としては、例えば、所定額の金券あるいは所定額の現金を当該遊技者に渡すようにすればよい。または、カード発行機１３から救済額である所定額のプリペイド額が記憶された救済用プリペイドカードを発行して、当該遊技者に渡すようにしてもよい。この場合には、当該カード発行機１３からのめり込み救済措置が講じられた旨の情報および補填金額などの情報を遊技店管理サーバ３を介して、カード管理サーバ５に転送すればよい。また、遊技店の店員によって、遊技店管理サーバ３を介して、カード管理サーバ５にのめり込み救済措置を講じた旨の情報を送信すればよい。
【００４１】
以上説明したように、遊技管理システム１においては、各遊技店２の遊技台８に遊技者が当日内に連続した一連の遊技を行い、その消費金額が所定額以上消費し、遊技台８にのめり込み現象が発生したとみなしたとき、または、のめり込み現象が発生したか否かを監視し、のめり込み現象が発生したことが検出された場合には、遊技者に対して、所定額の現金の支払い、所定額の金券の発行、所定額の商品券の発行又は所定額のプリペイドカードの発行又は遊技用カードのプリペイド額を増額するというのめり込み救済措置を施すようにしている。よって、偶発的に発生するのめり込み現象に起因する遊技者の損害を補填でき、これによって、適正な遊技ルールの下での遊技の提供を保証することが可能になる。
【００４２】
（遊技者救済システム）
次に、図３は、上記ののめり込み救済措置を実施するための遊技者救済システムの構成例を示す模式図である。図に示す遊技者救済システム２０は、のめり込み現象に対する救済措置を講ずるための所定額の費用を補填するのめり込み救済保険制度を運用する保険会社２１と、のめり込み現象に遭遇した遊技者に対して救済措置を講ずる各遊技店２と、各遊技店の遊技管理システム（図２参照）を管理するカード管理会社４から構成されている。
【００４３】
カード管理会社４は、のめり込み救済保険制度に加入し（矢印ａ）、当該のめり込み救済保険の加入料の支払いを行う（矢印ｂ）。各遊技店２は図２を参照して説明したようにハマリ現象に遭遇した遊技者２２に対して救済措置を講じ（矢印ｃ）、当該情報をカード管理会社４に通知する（矢印ｄ）。カード管理会社４は、のめり込み現象が発生すると、保険会社２１にのめり込み救済保険の保険金の支払いを請求する（矢印ｅ）。保険会社２１からは保険金の支払いがカード管理会社４に対して実行される（矢印ｆ）。カード管理会社４は、のめり込み現象が発生した遊技店２に対しては、当該遊技店２が講じた救済措置に対して所定額の補填を与える（矢印ｇ）。
【００４４】
ここで、各遊技店２の外に交換所２３を配置しておき、当該交換所２３において、遊技店２から救済措置として発行された金券、商品券あるいはプリペイドカードを現金化する処理を行うことを可能にしてもよい（矢印ｈ）。
【００４５】
また、各遊技店２が直接に保険加入者となることも可能である。この場合の遊技者救済システムは、のめり込み現象に対する救済措置を講ずるための所定額の費用を補填するのめり込み救済保険制度を運用する保険会社２１と、のめり込み現象に遭遇した遊技者２２に対して救済措置を講ずる各遊技店２とを有し、各遊技店２は、のめり込み救済保険制度に加入して当該のめり込み救済保険の加入料を支払い、のめり込み現象が発生すると、のめり込み現象に遭遇した遊技者２２に対して救済措置を講ずると共に、保険会社２１にのめり込み救済保険の保険金の支払いを請求する。
【００４６】
次に、図４は、のめり込み救済措置を実施するための遊技者救済システムの他の構成例を示す模式図である。図に示す遊技者救済システム２０は、遊技店２に設置された遊技台８および／または台間機９の製造業者、さらには、のめり込み救済保険制度に協賛する者によって遊技者救済団体２４を設立し、この遊技者救済団体２４が遊技店２の遊技管理システム１などを管理するカード管理会社４にのめり込み救済保険の運用のための運用料（矢印ｉ）を支払い、このカード管理会社４が保険加入者となっている。図４に記載の符号・構成と図３に記載の符号・構成と同一のものは、図３の各同一符号・構成と同一の作用効果を有する。
【００４７】
詳細に説明すると、図４に示す遊技者救済システム２０は、のめり込み現象に対する救済措置を講ずるための所定額の費用を補填するのめり込み救済保険制度を運用する保険会社２１と、のめり込み現象に遭遇した遊技者に対して救済措置を講ずる各遊技店２と、各遊技店の遊技管理システム（図２参照）を管理するカード管理会社４から構成されている。
【００４８】
カード管理会社４は、のめり込み救済保険制度に加入し（矢印ａ）、当該のめり込み救済保険の加入料の支払いを行う（矢印ｂ）。各遊技店２は図２を参照して説明したようにハマリ現象に遭遇した遊技者２２に対して救済措置を講じ（矢印ｃ）、当該情報をカード管理会社４に通知する（矢印ｄ）。カード管理会社４は、のめり込み現象が発生すると、保険会社２１にのめり込み救済保険の保険金の支払いを請求する（矢印ｅ）。保険会社２１からは保険金の支払いがカード管理会社４に対して実行される（矢印ｆ）。カード管理会社４は、のめり込み現象が発生した遊技店２に対しては、当該遊技店２が講じた救済措置に対して所定額の補填を与える（矢印ｇ）。ここで、各遊技店２の外に交換所２３を配置しておき、当該交換所２３において、遊技店２から救済措置として発行された金券、商品券あるいはプリペイドカードを現金化する処理を行うことを可能にしてもよい（矢印ｈ）。
【００４９】
この場合の遊技者救済システムは、のめり込み現象に対する救済措置を講ずるための所定額の費用を補填するのめり込み救済保険制度を運用する保険会社２１と、のめり込み現象に遭遇した遊技者２２に対して救済手段を講ずる遊技店２と、遊技店２の遊技管理システム１などを管理するカード管理会社４と、遊技店２に設置された遊技台８および／または台間機９の製造業者、さらには、のめり込み救済保険制度に協賛する者により設立された遊技者救済団体２４とを有し、この遊技者救済団体２４は、カード管理会社４にのめり込み救済保険の運用のための運用料（矢印ｉ）を支払い、カード管理会社４は、のめり込み救済保険制度に加入し、当該のめり込み救済保険の加入料の支払いを行い、遊技店８は、のめり込み現象に遭遇した遊技者２２に対して救済措置を講じ、カード管理会社４は、のめり込み現象が発生すると、保険会社２１にのめり込み救済保険の保険金の支払いを請求し、遊技店２に対しては、当該遊技店２が講じた救済措置に対して所定額の補填を与える。
【００５０】
また、遊技店２に設置された遊技台８および／または台間機９の製造業者、さらには、のめり込み救済保険制度に協賛する者によって遊技者救済団体２４を設立し、この遊技者救済団体２４が保険加入者となってもよい。この場合の遊技者救済システムは、のめり込み現象に対する救済措置を講ずるための所定額の費用を補填するのめり込み救済保険制度を運用する保険会社２１と、のめり込み現象に遭遇した遊技者２２に対して救済手段を講ずる各遊技店２と、遊技店２に設置された遊技台８および／または台間機９の製造業者、さらには、のめり込み救済保険制度に協賛する者により設立された遊技者救済団体２４とを有し、遊技者救済団体２４は、のめり込み救済保険制度に加入し、当該のめり込み救済保険の加入料の支払いを行い、遊技店２は、のめり込み現象に遭遇した遊技者に対して救済措置を講じ、遊技者救済団体は、のめり込み現象が発生すると、保険会社２１にのめり込み救済保険の保険金の支払いを請求し、遊技店２に対しては、当該遊技店２が講じた救済措置に対して所定額の補填を与える。
【００５１】
一方、上記の遊技者救済システムは、保険会社２１を中心に説明すると次のようになる。すなわち、のめり込み現象に対する救済措置を講ずるための所定額の費用を補填するのめり込み救済保険制度を運用する保険会社２１と、のめり込み現象に遭遇した遊技者２２に対して救済措置を講ずる各遊技店２と、各遊技店の遊技管理システム（図２参照）などを管理するカード管理会社４などのシステム会社と、各遊技店２に設置されている遊技台８および／または台間機９の製造業者、さらには、のめり込み救済保険制度に協賛する者により設立された遊技者救済団体２４とを有し、保険会社２１は、遊技店２、システム会社（４）、および遊技者救済団体２４のうちの少なくとも一社との間でのめり込み救済保険に対する加入契約を結び、加入契約を結んだ当該のめり込み救済保険の加入会社から保険加入料を徴収し、当該加入会社から、のめり込み現象に遭遇した遊技者に対して前記救済措置を講じた旨の申請を受け付け、当該申請を受け付けると、加入会社に対して所定の保険料の支払いを行う。
【００５２】
以上説明したように、遊技者救済システムによれば、保険会社２１の運用するのめり込み救済保険制度を採用することにより、各遊技店２の負担増を招くことなく、偶発的に発生するのめり込み現象に起因する遊技者の損害を補填でき、これによって、適正な遊技ルールの下での遊技の提供を保証することが可能になる。
【図面の簡単な説明】
【００５３】
【図１】遊技台の確率変動状態の一例を示す説明図である。
【図２】本発明の遊技者救済方法を採用している遊技管理システムの概略構成図である。
【図３】本発明の遊技者救済システムの一例を示す概略構成図である。
【図４】本発明の遊技者救済システムの他の例を示す概略構成図である。
【符号の説明】
【００５４】
１    遊技管理システム
２    遊技店
３    遊技店管理サーバ
４    カード管理会社
５    カード管理サーバ
６    一般通信回線
７    遊技島
８    遊技台
９    台間機
９ａ  カードリーダライタ
１０  島中継ハブ
１１  ＬＡＮ
１２ａ  会員カード
１２ｂ  ビジターカード
１３  カード発行機
２０  遊技者救済システム
２１  保険会社
２２  遊技者
２３  交換所
２４  遊技者救済団体
【図１】
2009039459.tif 000003
【図２】
2009039459.tif 000004
【図３】
2009039459.tif 000005
【図４】
2009039459.tif 000006